(57)【特許請求の範囲】
【請求項１】
同一の周波数チャネルを用いて無線端末と無線通信を行う複数の無線基地局が当該無線基地局の上位側で通信装置と接続された光無線通信システムであって、
前記通信装置は、
前記無線基地局と前記無線端末との間における無線通信に関する情報が記載された管理テーブルと、
前記管理テーブルに記載された無線通信に関する情報及び前記通信装置に流入する前記無線端末への下りトラフィックの観測結果を用いて、前記無線基地局から前記無線端末への下りトラフィックが衝突しないように、前記無線基地局が前記無線端末へ前記下りトラフィックを送信する送信タイミングを示す送信許可時間帯を決定し、前記送信許可時間帯に従って前記下りトラフィックを前記無線基地局に送信する通信装置側送信制御部と、
を備え、
前記無線基地局は、
前記通信装置から受信した前記下りトラフィックを前記無線端末へ送信する無線基地局側送信制御部を、
備え、
前記管理テーブルに記載された無線通信に関する情報が前記無線基地局と前記無線端末との間における前記無線端末毎の無線伝送レートに関する情報であることを特徴とする、
光無線通信システム。
【請求項２】
同一の周波数チャネルを用いて無線端末と無線通信を行う複数の無線基地局が当該無線基地局の上位側で通信装置と接続された光無線通信システムであって、
前記通信装置は、
前記無線基地局と前記無線端末との間における無線通信に関する情報が記載された管理テーブルと、
前記管理テーブルに記載された無線通信に関する情報及び前記通信装置に流入する前記無線端末への下りトラフィックの観測結果を用いて、前記無線基地局から前記無線端末への下りトラフィックが衝突しないように、前記無線基地局が前記無線端末へ前記下りトラフィックを送信する送信タイミングを示す送信許可時間帯を決定し、前記下りトラフィック及び前記送信許可時間帯を前記無線基地局に送信する通信装置側送信制御部と、
を備え、
前記無線基地局は、
前記通信装置から受信した前記下りトラフィックを、前記送信許可時間帯に従って前記無線端末へ送信する無線基地局側送信制御部を、
備え、
前記管理テーブルに記載された無線通信に関する情報が前記無線基地局と前記無線端末との間における前記無線端末毎の無線伝送レートに関する情報であることを特徴とする、
光無線通信システム。
【請求項３】
前記無線基地局は、前記無線端末からの要求信号に基づいて、前記無線基地局と前記無線端末との間における無線通信に関する情報が記載されたテーブルを作成するテーブル作成部をさらに備え、
前記無線基地局側送信制御部は、前記テーブル作成部が作成した前記テーブルを前記通信装置へ送信し、
前記通信装置は、前記無線基地局から受信した前記テーブルを前記管理テーブルに追加して前記管理テーブルを更新する管理テーブル追加部をさらに備える、
請求項１又は２に記載の光無線通信システム。
【請求項４】
前記無線端末が受信可能な他の無線基地局の情報も無線通信に関する情報として前記管理テーブルに記載されることを特徴とする請求項１から３のいずれかに記載の光無線通信システム。
【請求項５】
同一の周波数チャネルを用いて無線端末と無線通信を行う複数の無線基地局が当該無線基地局の上位側で通信装置と接続された光無線通信システムにおけるトラフィック制御方法であって、
前記通信装置が、前記無線基地局と前記無線端末との間における無線通信に関する情報が記載された管理テーブル及び前記通信装置に流入する前記無線端末への下りトラフィックの観測結果を用いて、前記無線基地局から前記無線端末への下りトラフィックが衝突しないように、前記無線基地局が前記無線端末へ前記下りトラフィックを送信する送信タイミングを示す送信許可時間帯を決定する送信許可時間帯決定手順と、
前記通信装置が前記送信許可時間帯に従って前記下りトラフィックを前記無線基地局に送信するか、或いは、前記無線基地局が前記通信装置から受信した前記下りトラフィックを前記送信許可時間帯に従って前記無線端末へ送信する送信手順と、
を順に有し、
前記管理テーブルに記載された無線通信に関する情報が前記無線基地局と前記無線端末との間における前記無線端末毎の無線伝送レートに関する情報であることを特徴とする、
光無線通信システムにおけるトラフィック制御方法。
【請求項６】
前記無線端末が受信可能な他の無線基地局の情報も無線通信に関する情報として前記管理テーブルに記載されることを特徴とする請求項５に記載の光無線通信システムにおけるトラフィック制御方法。
【請求項７】
同一の周波数チャネルを用いて無線端末と無線通信を行う複数の無線基地局に接続された通信装置であって、
前記無線基地局から通知された前記無線基地局と前記無線端末との間における無線通信に関する情報が記載された管理テーブルと、
前記管理テーブルに記載された無線通信に関する情報及び前記通信装置に流入する前記無線端末への下りトラフィックの観測結果を用いて、前記無線基地局から前記無線端末への下りトラフィックが衝突しないように、前記無線基地局が前記無線端末へ前記下りトラフィックを送信する送信タイミングを示す送信許可時間帯を決定し、前記送信許可時間帯に従って前記下りトラフィックを前記無線基地局に送信する通信装置側送信制御部と、
を備え、
前記管理テーブルに記載された無線通信に関する情報が前記無線基地局と前記無線端末との間における前記無線端末毎の無線伝送レートに関する情報であることを特徴とする、
通信装置。
【請求項８】
同一の周波数チャネルを用いて無線端末と無線通信を行う複数の無線基地局に接続された通信装置であって、
前記無線基地局から通知された前記無線基地局と前記無線端末との間における無線通信に関する情報が記載された管理テーブルと、
前記管理テーブルに記載された無線通信に関する情報及び前記通信装置に流入する前記無線端末への下りトラフィックの観測結果を用いて、前記無線基地局から前記無線端末への下りトラフィックが衝突しないように、前記無線基地局が前記無線端末へ前記下りトラフィックを送信する送信タイミングを示す送信許可時間帯を決定し、前記下りトラフィック及び前記送信許可時間帯を前記無線基地局に送信する通信装置側送信制御部と、
を備え、
前記管理テーブルに記載された無線通信に関する情報が前記無線基地局と前記無線端末との間における前記無線端末毎の無線伝送レートに関する情報であることを特徴とする、
通信装置。
【発明の詳細な説明】
【技術分野】
【０００１】
本発明は、光無線通信システム及び光無線通信システムにおけるトラフィック送信制御方法に関する。
【背景技術】
【０００２】
図１〜図４に、本発明に関連する光無線通信システムとして受動光ネットワークと無線ＬＡＮネットワークとが接続された構成の一例を示す。本発明に関連する受動光ネットワークには、局側終端装置（Ｏｐｔｉｃａｌ  Ｌｉｎｅ  Ｔｅｒｍｉｎａｌ：ＯＬＴ）９２が、複数の光加入者終端装置（Ｏｐｔｉｃａｌ  Ｎｅｔｗｏｒｋ  Ｕｎｉｔ：ＯＮＵ）９３と光ファイバ伝送路および１対ｎの光スプリッタ（ｎは自然数）を介してポイントツーマルチポイントの通信を行うＰＯＮ（Ｐａｓｓｉｖｅ  Ｏｐｔｉｃａｌ  Ｎｅｔｗｏｒｋ）方式と、ＯＬＴ９２とＯＮＵ９３とが１対１の通信を行うＳＳ（Ｓｉｎｇｌｅ  Ｓｔａｒ）方式とがある。ここで、ＯＬＴ９２は、例えば、上位ネットワークであるサービス網（不図示）に接続されている。
【０００３】
無線ＬＡＮネットワークは、図１〜図４に示すように、ＯＮＵ９３の配下の無線ＬＡＮアクセスポイント（ＡＰ）９５に無線ＬＡＮ端末９１を接続するネットワークであり、図１や図３のようにＯＮＵ９３とＡＰ９５を１対１で接続する構成や、図２や図４のようにＯＮＵ９３とＡＰ９５を１対ｎで接続する構成がある。ギガビットクラスのＰＯＮの代表的な規格として、ＩＥＥＥ  ８０２．３ａｈタスクフォースにて標準化されたＥＰＯＮ（Ｅｔｈｅｒｎｅｔ（登録商標）ＰＯＮ）、ＩＥＥＥ  ８０２．３ａｖタスクフォースにて標準化された、１０ギガビットクラスのＰＯＮとして１０Ｇ−ＥＰＯＮがある。無線ＬＡＮの代表的な規格として２．４ＧＨｚ帯または５ＧＨｚ帯で通信を行う仕様が規定されたＩＥＥＥ  ８０２．１１ｎがある。
【０００４】
図５に、本発明に関連するＥＰＯＮにおけるＯＬＴ９２の機能ブロック図を示す。本発明に関連するＯＬＴ９２は、ＳＮＩ（Ｓｅｒｖｉｃｅ  Ｎｏｄｅ  Ｉｎｔｅｒｆａｃｅ）２４と、キュー管理部２３と、ＰＯＮ信号処理部２２と、ＰＯＮ−ＩＦ（ＰＯＮ  Ｉｎｔｅｒｆａｃｅ）２１を備える。下り主信号は、ＳＮＩ２４、キュー管理部２３、ＰＯＮ信号処理部２２を介してＰＯＮ−ＩＦ２１へと流れる。一方、上り主信号は、ＰＯＮ−ＩＦ２１、ＰＯＮ信号処理部２２、キュー管理部２３を介してＳＮＩ２４へと流れる。ここで、上りは無線ＬＡＮ端末９１からＯＬＴ９２へ向う方向であり、下りはＯＬＴ９２から無線ＬＡＮ端末９１に向う方向である。
【０００５】
ＯＬＴ９２のＰＯＮ信号処理部２２は、ＯＮＵ９３に対してＯＮＵ９３に備えられたキュー内のデータ量を報告させるＭＰＣＰ（Ｍｕｌｔｉ−Ｐｏｉｎｔ  Ｃｏｎｔｒｏｌ  Ｐｒｏｔｏｃｏｌ）、ＯＮＵ９３から受信した報告メッセージを元にＯＮＵ９３内のキューのデータ量を監視し、各ＯＮＵ９３へ仕様帯域を割り当てるＤＢＡ（Ｄｙｎａｍｉｃ  Ｂａｎｄｗｉｄｔｈ  Ａｌｌｏｃａｔｉｏｎ）、ＯＮＵ９３と保守監視用の制御フレームをやり取りするＯＡＭ（Ｏｐｅｒａｔｉｏｎｓ，  Ａｄｍｉｎｉｓｔｒａｔｉｏｎ，  ａｎｄ  Ｍａｉｎｔｅｎａｎｃｅ）を有している。
【０００６】
図６に、本発明に関連するＡＰ９５の機能ブロック図を示す。本発明に関連するＡＰ９５は、ＰＨＹ（Ｐｈｙｓｉｃａｌ  Ｌａｙｅｒ）ポート５４と、キュー管理部５３と、無線フレーム生成／変換部５２と、アンテナ５１を備える。下り主信号は、ＰＨＹポート５４、キュー管理部５３、無線フレーム生成／変換部５２を介してアンテナ５１へ流れる。一方、上り主信号は、アンテナ５１、無線フレーム生成／変換部５２、キュー管理部５３を介してＰＨＹポート５４へと流れる。
【０００７】
近年、家庭内における無線ＬＡＮの普及やスマートフォンの普及によるトラフィック急増に対する代替として、無線ＬＡＮを利用して外部のネットワークにアクセスすることで、負荷分散を行うトラフィックのオフロードが行われている。そのため、公衆無線ＬＡＮスポットの設置数も増えている。このような利用環境下では閉空間に多数の無線ＬＡＮ端末９１が過密に存在する。
【０００８】
ここで、複数のＡＰ９５のカバーエリアが重複し、当該重複部分に複数の無線ＬＡＮ端末９１が存在する場合がある。例えば、図２において、ＡＰ９５  ＃１とＡＰ９５  ＃２のカバーエリアが重複し、当該重複部分に無線ＬＡＮ端末９１  ＃２及び無線ＬＡＮ端末９１  ＃３が配置される場合である。そのような場合において、同一の周波数チャネルを複数のＡＰ９５及び複数の無線ＬＡＮ端末９１が共用し、一斉に通信を行おうとすると、それらのＡＰ９５及び無線ＬＡＮ端末９１による通信において衝突が発生しやすく、無線通信品質が劣化しやすいという問題があった。ここで、無線通信品質の劣化とは例えば、スループットの低下や遅延の増大、接続不良の発生である。
【先行技術文献】
【非特許文献】
【０００９】
【非特許文献１】技術基礎講座「ＧＥ−ＰＯＮ技術  第４回  ＧＥ−ＰＯＮのシステム化機能」、ＮＴＴ技術ジャーナル、２００５年１１月、ｐｐ．５９−６１．
【非特許文献２】ＩＥＥＥ  Ｓｔａｎｄａｒｄ  ８０２．１１、  Ｗｉｒｅｌｅｓｓ  ＬＡＮ  ｍｅｄｉｕｍ  ａｃｃｅｓｓ  ｃｏｎｔｒｏｌ  （ＭＡＣ）  ａｎｄ  Ｐｈｙｓｉｃａｌ  ｌａｙｅｒ  （ＰＨＹ）  ｓｐｅｃｉｆｉｃａｔｉｏｎ、  １２  Ｊｕｎｅ、  ２００７．
【非特許文献３】無線ＬＡＮオフロードに伴う無線稠密環境における課題、  ＩＥＩＣＥ−ＣＱ２０１２−４６、  ＩＥＩＣＥ−ＭｏＭｕ２０１２−２７．
【発明の概要】
【発明が解決しようとする課題】
【００１０】
本発明は、複数の無線ＬＡＮアクセスポイントが通信エリアを共有するように存在し、共有された通信エリアに複数の無線ＬＡＮ端末が存在する場合に、無線通信品質の劣化を防止することを目的とする。
【課題を解決するための手段】
【００１１】
上記目的を達成するために、本願発明の光無線通信システム及びトラフィック制御方法は、無線ＬＡＮアクセスポイント等よりも上位に設置されたＯＬＴ等の通信装置において、無線ＬＡＮアクセスポイント等により生成された無線ＬＡＮアクセスポイントと無線ＬＡＮ端末との間における無線通信に関する情報をもとに、下りトラフィックの送信タイミングを決定し、下りトラフィックの通信制御を行う。
【００１２】
具体的には、本願発明の光無線通信システムは、無線端末と無線通信を行う無線基地局が当該無線基地局の上位側で通信装置と接続された光無線通信システムであって、前記通信装置は、前記無線基地局と前記無線端末との間における無線通信に関する情報が記載された管理テーブルと、前記管理テーブルに記載された情報及び前記通信装置に流入する前記無線端末への下りトラフィックの観測結果を用いて、前記無線基地局が前記無線端末へ前記下りトラフィックを送信する送信タイミングを示す送信許可時間帯を決定し、前記送信許可時間帯に従って前記下りトラフィックを前記無線基地局に送信する通信装置側送信制御部と、を備え、前記無線基地局は、前記通信装置から受信した前記下りトラフィックを前記無線端末へ送信する無線基地局側送信制御部を、備える。
【００１３】
具体的には、本願発明の光無線通信システムは、無線端末と無線通信を行う無線基地局が当該無線基地局の上位側で通信装置と接続された光無線通信システムであって、前記通信装置は、前記無線基地局と前記無線端末との間における無線通信に関する情報が記載された管理テーブルと、前記管理テーブルに記載された情報及び前記通信装置に流入する前記無線端末への下りトラフィックの観測結果を用いて、前記無線基地局が前記無線端末へ前記下りトラフィックを送信する送信タイミングを示す送信許可時間帯を決定し、前記下りトラフィック及び前記送信許可時間帯を前記無線基地局に送信する通信装置側送信制御部と、を備え、前記無線基地局は、前記通信装置から受信した前記下りトラフィックを、前記送信許可時間帯に従って前記無線端末へ送信する無線基地局側送信制御部を、備える。
【００１４】
本願発明の光無線通信システムでは、前記無線基地局は、前記無線端末からの要求信号に基づいて、前記無線基地局と前記無線端末との間における無線通信に関する情報が記載されたテーブルを作成するテーブル作成部をさらに備え、前記無線基地局側送信制御部は、前記テーブル作成部が作成した前記テーブルを前記通信装置へ送信し、前記通信装置は、前記無線基地局から受信した前記テーブルを前記管理テーブルに追加して前記管理テーブルを更新する管理テーブル追加部をさらに備えてもよい。
【００１５】
具体的には、光無線通信システムにおけるトラフィック制御方法は、無線端末と無線通信を行う無線基地局が当該無線基地局の上位側で通信装置と接続された光無線通信システムにおけるトラフィック制御方法であって、前記通信装置が、前記無線基地局と前記無線端末との間における無線通信に関する情報が記載された管理テーブル及び前記通信装置に流入する前記無線端末への下りトラフィックの観測結果を用いて、前記無線基地局が前記無線端末へ前記下りトラフィックを送信する送信タイミングを示す送信許可時間帯を決定する送信許可時間帯決定手順と、前記通信装置が前記送信許可時間帯に従って前記下りトラフィックを前記無線基地局に送信するか、或いは、前記無線基地局が前記通信装置から受信した前記下りトラフィックを前記送信許可時間帯に従って前記無線端末へ送信する送信手順と、を順に有する。
【発明の効果】
【００１６】
本発明によれば、複数の無線ＬＡＮアクセスポイントが通信エリアを共有するように存在し、共有された通信エリアに複数の無線ＬＡＮ端末が存在する場合に、無線通信品質の劣化を防止することができる。
【図面の簡単な説明】
【００１７】
【図１】本発明に関連する光無線通信システムの第１例を示す。
【図２】本発明に関連する光無線通信システムの第２例を示す。
【図３】本発明に関連する光無線通信システムの第３例を示す。
【図４】本発明に関連する光無線通信システムの第４例を示す。
【図５】本発明に関連するＯＬＴの一例を示す。
【図６】本発明に関連するＡＰの一例を示す。
【図７】本発明の実施形態１に係るＯＬＴの一例を示す。
【図８】本発明の実施形態１に係るＡＰの一例を示す。
【図９】本発明の実施形態１に係るＡＰのカバーエリアの一例を示す。
【図１０】本発明の実施形態１に係るトラフィック制御方法のシーケンスの一例を示す。
【図１１】本発明の実施形態１に係るテーブルの一例を示す。
【図１２】本発明の実施形態１に係る管理テーブルの一例を示す。
【図１３】本発明の実施形態１に係る下りトラフィックの送信タイミングの一例を示す。
【図１４】本発明の実施形態２に係るトラフィック制御方法のシーケンスの一例を示す。
【図１５】本発明の実施形態２に係る下りトラフィックの送信タイミングの一例を示す。
【図１６】本発明の実施形態３に係るＡＰのカバーエリアの一例を示す。
【図１７】本発明の実施形態３に係るテーブルの一例を示す。
【図１８】本発明の実施形態３に係る管理テーブルの一例を示す。
【図１９】本発明の実施形態３に係る下りトラフィックの送信タイミングの一例を示す。
【発明を実施するための形態】
【００１８】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１９】
（実施形態１）
［光無線通信システム］
本実施形態に係る光無線通信システムは、局側終端装置（ＯＬＴ）９２と、光加入者終端装置（ＯＮＵ）９３と、無線ＬＡＮアクセスポイント（ＡＰ）９５と、無線ＬＡＮ端末９１を備える。ＯＬＴ９２は通信装置として機能し、ＡＰ９５は無線基地局として機能し、無線ＬＡＮ端末９１は無線端末として機能する。本実施形態では、ＯＬＴ９２と、ＯＮＵ９３と、ＡＰ９５と、無線ＬＡＮ端末９１は、例えば、図１〜図４のように接続される。その際、図１や図３の様に、ＯＮＵ９３の配下に１対１の関係でＡＰ９５を接続しても良いし、図２や図４の様にＯＮＵ９３の配下に１対ｎ（ｎは自然数）の関係でＡＰ９５を接続しても良い。
【００２０】
［ＯＬＴの機能ブロック］
図７に、本実施形態に係る局側終端装置（ＯＬＴ）９２の機能ブロックを示す。本実施形態に係るＯＬＴ９２は、図５に示した本発明に関連するＯＬＴ９２の機能ブロックに加え、キュー管理部２３に流入するトラフィックを観測する観測部２８と、タイマ２９と、ＡＰ９５から通知された無線通信状況に関するテーブルから作成した管理テーブルに記載された情報と下りトラフィックに関する情報を元に計算を行う計算部２７と、ＡＰ９５から通知された無線通信状況に関するテーブルに新たな情報が追加された管理テーブルを管理する管理テーブル追加部２５と、無線ＬＡＮ端末９１への下りトラフィックの送信タイミングを示す送信許可時間帯を決定する制御信号生成部２６を備える。ＰＯＮ信号処理部２２と、管理テーブル追加部２５と、制御信号生成部２６と、計算部２７と、観測部２８と、タイマ２９は、通信装置側送信制御部として機能する。
【００２１】
［ＡＰの機能ブロック］
図８に、本実施形態に係る無線アクセスポイント（ＡＰ）９５の機能ブロックを示す。図６に示した本発明に関連するＡＰ９５の機能ブロックに加え、無線通信状況を記載するテーブルを作成するテーブル作成部５５を備える。本実施形態では、無線フレーム生成／変換部５２は、無線基地局側送信制御部として機能する。
【００２２】
本実施形態では、ＡＰ９５よりも上位側に接続される通信装置としてＯＬＴ９２が、ＡＰ９５から通知された無線通信状況に関する情報を基に、下りトラフィックの送信タイミングを示す送信許可時間帯を決定し、ＯＬＴ９２が当該送信許可時間帯に合わせてＡＰ９５へ下りトラフィックの送信を制御する。本実施形態における光無線通信ネットワークは、同一ＯＬＴ９２の配下にＯＮＵ９３  ＃１〜＃３が接続され、ＯＮＵ９３  ＃１〜＃３のそれぞれに１対１の関係でＡＰ９５が接続され、ＡＰ９５に対して１対１の関係で無線ＬＡＮ端末９１が接続される。各々のＡＰ９５の番号を＃１〜＃３、無線ＬＡＮ端末９１も同様に＃１〜＃３とする。
【００２３】
図９にＡＰ９５  ＃１〜＃３の無線ＬＡＮネットワークのカバーエリアを示す。ここで、Ａ１はＡＰ９５  ＃１のカバーエリアであり、Ａ２はＡＰ９５  ＃２のカバーエリアであり、Ａ３はＡＰ９５  ＃３のカバーエリアである。図９に示すように、ＡＰ９５  ＃１〜＃３の無線ＬＡＮカバーエリアＡ１、Ａ２及びＡ３が重なっている。本実施形態では、図９のように各ＡＰ９５のカバーエリアの重複部分に無線ＬＡＮ端末９１が存在する場合、カバーエリアの重複部分に存在する無線ＬＡＮ端末９１への下りトラフィックの送信は、１つのＡＰ９５が行う。当該ＡＰ９５が下りトラフィックを送信している間、重複するカバーエリアを構成する他のＡＰ９５は、下りトラフィックの送信を行わない。
【００２４】
図１０に、本実施形態におけるトラフィック制御方法に関する一連のシーケンスを示す。本実施形態に係るトラフィック制御方法は、送信許可時間帯決定手順と、送信手順とを順に有する。送信許可時間帯決定手順の前に、管理テーブル作成手順をさらに有してもよい。管理テーブル作成手順では、ＡＰ９５が、ＯＬＴ９２へＡＰ９５が送信する無線通信状況に関する情報を集約したテーブルを作成し、ＯＬＴ９２がテーブルを基にして管理テーブルを作成する。送信許可時間帯決定手順では、ＯＬＴ９２におけるトラフィックの送信許可時間帯の計算を行う。ここで、ＡＰ９５は、例えば、ＡＰ９５  ＃１であり、無線ＬＡＮ端末９１は、例えば、無線ＬＡＮ端末９１  ＃１である。送信手順では、ＯＬＴ９２が、送信許可時間帯に基づいて下りトラフィックを送信する。
【００２５】
本実施形態に係る管理テーブル作成手順では、先ず、ＡＰ９５  ＃１の無線フレーム生成／変換部５２が、アンテナ５１を介して、ＡＰ９５  ＃１に接続する無線ＬＡＮ端末９１  ＃１へ、無線通信状況問合に関する指令を送信する（Ｓ１０１）。次に、ＡＰ９５  ＃１の無線フレーム生成／変換部５２は、無線ＬＡＮ端末９１  ＃１から無線通信状況回答の情報を受信する（Ｓ１０２）。次に、ＡＰ９５  ＃１のテーブル作成部５５は、得られた無線通信状況回答の情報を基にテーブルを作成し、キュー管理部５３及びＰＨＹポート５４を介して、ＯＬＴ９２へ送信する（Ｓ１０３）。ＯＬＴ９２は、ＡＰ９５から受信したテーブルを基に管理テーブルを作成する。
【００２６】
本実施形態に係る送信許可時間帯決定手順では、ＯＬＴ９２の制御信号生成部２６は、ＡＰ９５  ＃１から送信されたテーブルを基に作成した管理テーブル及びＯＬＴ９２内における下りトラフィックの観測情報を基に、送信許可時間帯を決定する。
本実施形態に係る送信手順では、ＯＬＴ９２のＰＯＮ信号処理部２２は、無線ＬＡＮ端末９１  ＃１への送信許可時間帯に合わせて下りトラフィックをＡＰ９５  ＃１へ送信する（Ｓ１０４）。ＡＰ９５  ＃１の無線フレーム生成／変換部５２は、無線ＬＡＮ端末９１  ＃１へ、ＯＬＴ９２から受信した下りトラフィックを送信する（Ｓ１０５）。
本実施形態におけるＯＬＴ９２へＡＰ９５が送信する無線通信状況に関する情報を集約した管理テーブルを作成する管理テーブル作成手順及び、ＯＬＴ９２におけるトラフィックの送信許可時間帯計算手順の順に説明する。
【００２７】
［管理テーブル作成手順］
本実施形態に係る管理テーブル作成手順では、ＡＰ９５は、ＡＰ９５と、ＡＰ９５に接続する無線ＬＡＮ端末９１間の情報を収集して無線通信状況に関するテーブルを作成する。まず、ＡＰ９５  ＃１の無線フレーム生成／変換部５２、は、あらかじめ無線ＬＡＮネットワークを介して、ＡＰ９５  ＃１に接続される無線ＬＡＮ端末９１の帰属番号であるＩＤもしくはＭＡＣアドレスを取得する。これらの情報は、無線ＬＡＮ端末９１がＡＰ９５に接続しアソシエーションする際に取得することができる。
【００２８】
ＡＰ９５  ＃１の無線フレーム生成／変換部５２は、あらかじめ取得した情報とＡＰ９５  ＃１の使用チャネルを、テーブル作成部５５へ通知し、テーブル作成部５５は、通知された情報をテーブルへ記入する。次に、無線フレーム生成／変換部５２は、ＡＰ９５  ＃１と接続される無線ＬＡＮ端末９１  ＃１から、ＩＥＥＥ  ８０２．１１標準規格で規定される無線データフレームを受信する。無線フレーム生成／変換部５２が受信した無線データフレームには、通信に関するヘッダが含まれている。ＩＥＥＥ  ８０２．１１規格のＰＨＹヘッダの構造には、例えばＲａｔｅフィールドに、その無線データフレームで送信される無線伝送レートに関する情報が記載されているため、無線フレーム生成／変換部５２は、当該情報を参照しテーブル作成部５５へ送信し、テーブル作成部５５は、当該情報と、当該無線データフレームの送信元である無線ＬＡＮ端末９１のＩＤもしくはＭＡＣアドレスとを結び付けてテーブルを作成し、当該テーブルを無線フレーム生成／変換部５２に返信する。
【００２９】
図１１に、本実施形態においてＡＰ  ＃１〜＃３のテーブル作成部５５でそれぞれ作成したテーブルを示す。ここで、ＡＰ  ＃１〜＃３のそれぞれは、ＡＰ９５である。ＡＰ  ＃１〜＃３の無線フレーム生成／変換部５２のそれぞれは、作成したテーブルを、キュー管理部５３及びＰＨＹポート５４を介してＯＬＴ９２へ送信する。これらの動作を同様に他のＡＰ９５でも行う。ＯＬＴ９２の管理テーブル追加部２５は、ＡＰ９５から受信したテーブルを基に管理テーブルを作成する。
【００３０】
上記無線伝送レートの他、テーブルに記載する情報として、ＡＰ９５の無線フレーム生成／変換部５２が無線ＬＡＮ端末９１との通信において生じた再送回数、を用いてもよい。テーブルに記載される情報は、一定期間測定して得られた値の平均値を記載してもよいし、最大値もしくは最小値としてもよい。また、ＡＰ９５のテーブル作成部５５は、無線ＬＡＮ端末９１からの要求信号であるリクエストから得た情報を、テーブルに記載してもよい。また、テーブル作成部５５は、無線ＬＡＮ端末９１からのリクエストに基づいてテーブルを作成してもよい。リクエストとは、例えば、無線ＬＡＮ端末９１が利用しているアプリケーションの種類または要求速度、要求帯域もしくは要求遅延である。ＡＰ９５のテーブル作成部５５は、上記情報の一部または全てをテーブルに記載する。無線ＬＡＮ端末９１が、ＡＰ９５に対してリクエストを送信する場合、自ら送信してもよいし、ＡＰ９５からの指示を待ってから送信してもよい。
【００３１】
［送信許可時間帯決定手順］
本実施形態に係る送信許可時間帯決定手順では、ＯＬＴ９２の制御信号生成部２６が、ＡＰ９５から受信した無線通信状況のテーブルから作成し、キュー管理部２３内における下りトラフィックの観測結果を用いて更新した管理テーブルにより、下りトラフィックの送信タイミングを示す送信許可時間帯を決定する。
【００３２】
まず、観測部２８は、ＯＬＴ９２内のキュー管理部２３内に一定時間Ｔに流入するトラフィックの宛先及びトラフィック量を観測する。一定時間Ｔの測定には、タイマ２９を用いる。トラフィックの宛先は、例えば、無線ＬＡＮ端末９１  ＃１である。観測部２８は、観測した当該情報を管理テーブル追加部２５へ送信し、管理テーブル追加部２５は、ＡＰ９５から送信された無線通信状況のテーブルから作成した管理テーブルを、観測部２８から送られた当該情報を追加することにより更新する。
【００３３】
次に、計算部２７は、観測部２８が観測したトラフィック量と、当該ＡＰ９５から送信された管理テーブル内に記載されている無線伝送レートから、ＡＰ９５から無線ＬＡＮ端末９１への送信にかかる時間を概算し、当該情報を管理テーブル追加部２５へ送信する。管理テーブル追加部２５は、計算部２７から送られた情報を管理テーブルに追加し更新する。図１２にＯＬＴ９２内の管理テーブル追加部２５で更新されたＡＰ９５  ＃１〜＃３の管理テーブルを示す。管理テーブルのＡＰ９５  ＃１〜＃３ごとの送信予想時間を参考にして、ＯＬＴ９２の制御信号生成部２６は、送信許可時間帯を決定する。ＰＯＮ信号処理部２２は、送信許可時間帯決定手順で決定した送信許可時間帯に基づいて、ＡＰ９５ごとに、下りトラフィックを送信する。ここで、ＯＬＴ９２は、全てのＡＰ９５に下りトラフィックを送信し、ＡＰ９５のそれぞれが、自ＡＰ９５を宛先とする下りトラフィックのみを抽出してもよい。
【００３４】
上記のＯＬＴ９２の一連の動作及びＡＰ９５  ＃１〜＃３へのトラフィック送信タイミングに関して図１３を参照して説明する。まず、ＯＬＴ９２がＡＰ９５からテーブルを受信すると、観測部２８は、ｔ０〜ｔ１の間でＯＬＴ９２のキュー管理部２３内のＡＰ９５  ＃１〜＃３へ送信するトラフィック量を観測する。
【００３５】
次に、計算部２７は、ｔ１〜ｔ２の間で、当該トラフィック量及び管理テーブル内の無線伝送レートに関する情報を基に、ＡＰ９５  ＃１〜＃３から無線ＬＡＮ端末９１  ＃１〜＃３への送信予想時間を計算し、管理テーブル追加部２５に格納されている管理テーブルを更新する。送信予想時間を計算する際には、例えば、伝送遅延や各通信端末における処理遅延等のオーバーヘッドを考慮してもよい。制御信号生成部２６では、更新された管理テーブルから、ＡＰ９５  ＃１〜＃３での送信許可時間帯を決定する。
【００３６】
［送信手順］
本実施形態に係る送信手順では、ＰＯＮ信号処理部２２は、決定した送信許可時間帯に関する情報に基づき、ｔ２〜ｔ３の間にＡＰ９５  ＃１へ下りトラフィックを送信する。ＡＰ９５  ＃１の無線フレーム生成／変換部５２は、ｔ３〜ｔ５の間でＡＰ９５  ＃１のアンテナ５１から無線ＬＡＮ端末９１  ＃１へトラフィックを送信する。また、ＯＬＴ９２のＰＯＮ信号処理部２２は、ＡＰ９５  ＃２の無線フレーム生成／変換部５２がＡＰ９５  ＃２の送信許可時間帯であるｔ５〜ｔ７にトラフィックの送信を行えるように、ｔ４〜ｔ５の間にＡＰ９５  ＃２へ下りトラフィックを送信する。ＡＰ９５  ＃２の無線フレーム生成／変換部５２は、ｔ５〜ｔ７の間に、無線ＬＡＮ端末９１  ＃２への下りトラフィックを送信する。また、ＯＬＴ９２のＰＯＮ信号処理部２２は、ＡＰ９５  ＃３が、ＡＰ９５  ＃３の送信時間帯に下りトラフィックの送信を行えるように、ｔ６〜ｔ７の間にＡＰ９５  ＃３へ下りトラフィックを送信する。ＡＰ９５  ＃３の無線フレーム生成／変換部５２は、ｔ７〜ｔ８の間に、無線ＬＡＮ端末９１  ＃３への下りトラフィックを送信する。
【００３７】
本実施形態では、ＡＰ９５よりも上位側に接続される通信装置としてＯＬＴ９２を例に説明したが、通信装置はＯＮＵ９３でも構わない。また、観測部２８は、ＯＬＴ９２内のキュー管理部２３内に一定時間Ｔに流入するトラフィック量をタイマ２９で観測したが、一定時間Ｔに流入するトラフィック量の平均値や平均レートを観測しても良い。また、本実施形態では、ＯＬＴ９２からＡＰ９５  ＃１〜＃３への送信順序をＡＰ９５  ＃１〜＃３の順番にしたが、送信順序はこれに限らない。
【００３８】
本実施形態では、ＯＬＴ９２が、ＡＰ９５から通知された無線通信状況に関する情報を基に、下りトラフィックの送信許可時間帯を決定し、ＯＬＴ９２が当該送信許可時間帯に合わせてＡＰ９５へ下りトラフィックの送信制御を行うことで、無線ＬＡＮシステムにおける無線通信品質を向上させることが出来る。また、本実施形態でのＡＰ９５は、既存装置の構成と比較して追加機能が必要ないため、汎用的な装置を利用できる。
【００３９】
（実施形態２）
本実施形態では、ＯＬＴ９２は、下りトラフィックを送信する送信タイミングを示す送信許可時間帯を決定後、ＯＬＴ９２からＡＰ９５へ当該情報を通知する。具体的には、ＡＰ９５よりも上位側に接続される通信装置としてのＯＬＴ９２が、ＡＰ９５から通知された無線通信状況に関する情報を基に、下りトラフィックの送信許可時間帯を決定する。ＯＬＴ９２は、当該送信許可時間帯に関する情報をＡＰ９５へ通知し、ＡＰ９５は当該情報を基に下りトラフィックの送信を制御する。
【００４０】
本実施形態では、送信許可時間帯決定手順において、ＯＬＴ９２が送信許可時間帯に関する情報をＡＰ９５へ送信する。また、送信手順において、ＡＰ９５は、送信許可時間帯に関する情報を基に下りトラフィックの送信を制御する。本実施形態における光無線通信ネットワークは図９に示す通りである。
【００４１】
図１４に、本実施形態におけるトラフィック送信制御方法に関する一連のシーケンスを示す。本実施形態に係る管理テーブル作成手順では、先ず、ＡＰ９５  ＃１の無線フレーム生成／変換部５２が、ＡＰ９５  ＃１と接続する無線ＬＡＮ端末９１  ＃１の無線通信状況問合に関する指令を、無線ＬＡＮ端末９１  ＃１へ送信する（Ｓ１０１）。次に、ＡＰ９５  ＃１の無線フレーム生成／変換部５２は、無線ＬＡＮ端末９１  ＃１から無線通信状況回答の情報を受け取る（Ｓ１０２）。次に、ＡＰ９５  ＃１のテーブル作成部５５は、無線ＬＡＮ端末９１  ＃１から受け取った無線通信状況回答の情報を基にテーブルを作成する。ＡＰ９５  ＃１の無線フレーム生成／変換部５２は、テーブル作成部５５が作成したテーブルをＯＬＴ９２へ送信する（Ｓ１０３）。ＯＬＴ９２の管理テーブル追加部２５は、ＡＰ９５から受信したテーブルを基に管理テーブルを作成する。
【００４２】
本実施形態に係る送信許可時間帯決定手順では、ＯＬＴ９２の制御信号生成部２６は、ＡＰ９５  ＃１から送信されたテーブルから作成した管理テーブル及びＯＬＴ９２内における下りトラフィックの観測情報を基に、送信許可時間帯を決定する。
本実施形態に係る送信手順では、ＯＬＴ９２のＰＯＮ信号処理部２２は、送信許可時間帯決定手順で決定した送信許可時間帯及び下りトラフィックを、ＡＰ９５ごとに送信する。ここで、ＯＬＴ９２のＰＯＮ信号処理部２２は、全てのＡＰ９５に下りトラフィックを送信し、ＡＰ９５のそれぞれが、自ＡＰ９５を宛先とする下りトラフィックのみを抽出してもよい。
【００４３】
ＯＬＴ９２のＰＯＮ信号処理部２２は、ＡＰ９５  ＃１へ下りトラフィックの送信タイミングを示す送信許可時間帯に関する情報を含む制御信号を、下りトラフィックと共に送信する（Ｓ１０４）。ＡＰ９５  ＃１の無線フレーム生成／変換部５２は、当該制御信号を受信した後、制御情報に基づいて無線ＬＡＮ端末９１  ＃１へ下りトラフィックを送信する（Ｓ１０５）。本実施形態における、ＯＬＴ９２へＡＰ９５が送信する無線通信状況に関する情報を集約したテーブルから管理テーブルを作成する管理テーブル作成手順及び、ＯＬＴ９２におけるトラフィックの送信許可時間帯を決定する送信許可時間帯決定手順は実施形態１と同様である。
【００４４】
図１５を用いて、ＯＬＴ９２の一連の動作及びＯＬＴ９２からＡＰ９５  ＃１〜ＡＰ９５  ＃３の無線ＬＡＮ端末９１  ＃１〜＃３への下りトラフィックの送信タイミングに関して説明する。まず、ＯＬＴ９２のＰＯＮ信号処理部２２がＡＰ９５からテーブルを受信すると、管理テーブル追加部２５は管理テーブルを作成し、観測部２８は、ｔ０〜ｔ１の間でＯＬＴ９２のキュー管理部２３内でＡＰ９５  ＃１〜＃３へ送信する下りトラフィック量を観測する。次に、計算部２７は、ｔ１〜ｔ２の間で当該下りトラフィック量及び管理テーブル内の無線伝送レートに関する情報を基に、ＡＰ９５  ＃１〜＃３から無線ＬＡＮ端末９１  ＃１〜＃３への送信予想時間を決定し、送信許可時間帯を計算する。次に、ＰＯＮ信号処理部２２は、ｔ２〜ｔ３の間に、ＯＬＴ９２からＡＰ９５  ＃１〜＃３へ当該送信許可時間帯に関する情報を制御信号として下りトラフィックと共に送信する。当該送信許可時間帯に関する情報を基に、ＡＰ９５  ＃１〜＃３の無線フレーム生成／変換部５２は、それぞれｔ３〜ｔ４、ｔ４〜ｔ５、ｔ５〜ｔ６の間で、無線ＬＡＮ端末９１  ＃１〜＃３へ下りトラフィックを送信する。
【００４５】
本実施形態では、ＡＰ９５よりも上位側に接続される通信装置としてＯＬＴ９２を例に説明したが、通信装置はＯＮＵ９３でも構わない。また、本実施形態では、ＯＬＴ９２内のキュー管理部２３内に一定時間Ｔに流入するトラフィック量を、観測部２８とタイマ２９を用いて観測したが、一定時間Ｔに流入するトラフィック量の平均値や平均レートを観測しても良い。また、本実施形態では、ＯＬＴ９２からの送信順序をＡＰ９５  ＃１〜＃３の順番にしたが、送信順序はこれに限らない。
【００４６】
本実施形態では、ＯＬＴ９２がＡＰ９５から通知された無線状況に関する情報を基に、下りトラフィックの送信許可時間帯を決定し、ＯＬＴ９２が当該送信許可時間帯を計算してＡＰ９５へ通知し、ＡＰ９５の下りトラフィックの送信制御を行うことで、無線ＬＡＮシステムにおける無線通信品質を向上させることができる。また、本実施形態では、ＯＬＴ９２からＡＰ９５へ制御情報を通知することで、ＯＬＴ９２内で伝送遅延や各通信端末における処理遅延等のオーバーヘッドを計算せずに送信することができるため、ＯＬＴ９２の処理プロセスを削減することができる。
【００４７】
（実施形態３）
本実施形態に係るトラフィック制御方法は、送信許可時間帯決定手順と、送信手順とを順に有し、送信許可時間帯決定手順において、ＯＬＴ９２が、各ＡＰ９５のカバーエリアを加味して送信許可時間帯を決定する。図１６に示すように、光無線通信ネットワークとして、同一ＯＬＴ９２の配下にＡＰ９５  ＃１〜＃３が接続され、ＡＰ９５のそれぞれに対して無線ＬＡＮ端末９１が１つないし２つ以上接続される場合における動作を説明する。各々のＡＰ９５の番号を＃１〜＃３、無線ＬＡＮ端末９１の番号を＃１〜＃５とする。図１６に示すように、ＡＰ９５  ＃１〜＃３の無線ＬＡＮネットワークのカバーエリアＡ１〜Ａ３は重なっている。
【００４８】
本実施形態におけるトラフィック制御方法に関する一連のシーケンスは、実施形態１と同様である。管理テーブル作成手順では、まず、ＡＰ９５  ＃１の無線フレーム生成／変換部５２は、ＡＰ９５  ＃１に接続する無線ＬＡＮ端末９１  ＃１の無線通信状況問合に関する指令を無線ＬＡＮ端末９１  ＃１へ送信する（Ｓ１０１）。次に、無線ＬＡＮ端末９１  ＃１は、無線通信状況回答に関する情報をＡＰ９５  ＃１に送信する（Ｓ１０２）。次に、ＡＰ９５  ＃１のテーブル作成部５５は、無線ＬＡＮ端末９１  ＃１から得られた情報を基にテーブルを作成し、無線フレーム生成／変換部５２が、テーブル作成部５５が作成したテーブルをＯＬＴ９２へ送信する（Ｓ１０３）。ＯＬＴ９２の制御信号生成部２６は、ＡＰ９５  ＃１から送信されたテーブルを基に作成した管理テーブル及びＯＬＴ９２内における下りトラフィックの観測情報を基に、送信許可時間帯を決定する。ＯＬＴ９２のＰＯＮ信号処理部２２は、ＡＰ９５  ＃１への送信許可時間帯に合わせて下りトラフィックをＡＰ９５  ＃１へ送信し、ＡＰ９５  ＃１の無線フレーム生成／変換部５２は
、無線ＬＡＮ端末９１  ＃１へ受信した下りトラフィックを送信する（Ｓ１０５）。ここでは、ＡＰ９５  ＃１を例に説明したが、例えばＡＰ９５  ＃２であれば、ＡＰ９５  ＃２に接続する無線ＬＡＮ端末９１は＃２及び＃４が該当する。また、ＡＰ９５  ＃３であれば、ＡＰ９５  ＃３に接続する無線ＬＡＮ端末９１は＃３及び＃５である。
【００４９】
本実施形態におけるトラフィック制御方法では、管理テーブル作成手順において、各無線ＬＡＮ端末９１は、接続されているＡＰ９５の情報だけではなく、電波を受信しているその他のＡＰ９５に関する情報についても収集してテーブルを作成する。図１７に本実施形態において、ＡＰ９５  ＃１〜＃３のテーブル作成部５５のそれぞれが作成したテーブルを示す。図１７では、ＡＰ９５  ＃１に接続される無線ＬＡＮ端末９１は＃１のみであり、無線ＬＡＮ端末９１  ＃１が電波を受信しているその他のＡＰ９５はない。ＡＰ９５  ＃２に接続される無線ＬＡＮ端末９１は＃２及び＃４であり、無線ＬＡＮ端末９１  ＃２に関しては、ＡＰ９５  ＃１からの電波も受信する。ＡＰ９５  ＃３に接続される無線ＬＡＮ端末９１は＃３及び＃５であり、無線ＬＡＮ端末９１  ＃３に関しては、ＡＰ９５  ＃１及び＃２からの電波も受信する。各々のＡＰ９５の無線フレーム生成／変換部５２は、テーブル作成部５５が管理テーブルを作成した後、当該管理テーブルをＯＬＴ９２へ送信する。
【００５０】
図１８に、ＯＬＴ９２が更新したＡＰ９５  ＃１〜＃３の管理テーブルを示す。図１８の管理テーブルは、図１７のテーブルに、各ＡＰ９５のトラフィック量及び送信予想時間を追加して更新している。ＯＬＴ９２は、図１８のＡＰ  ＃１〜＃３における更新された管理テーブルに関する情報内における送信予想時間を参考にして、送信許可時間帯を決定する。
【００５１】
図１９を用いて、本実施形態に係るＯＬＴ９２の一連の動作及びＯＬＴ９２からＡＰ９５  ＃１〜＃３へのトラフィック送信タイミングを説明する。まず、ＯＬＴ９２のＰＯＮ信号処理部２２がＡＰ９５からテーブルを受信する。次に、ＯＬＴ９２の観測部２８は、タイマ２９を用いて、ｔ０〜ｔ１の間でＯＬＴ９２のキュー管理部２３内でＡＰ９５  ＃１〜＃３へ送信するトラフィック量を観測する。
【００５２】
次に、ＯＬＴ９２の制御信号生成部２６は、当該トラフィック量及び管理テーブル内の無線伝送レートに関する情報を基に、ＡＰ９５  ＃１〜＃３から無線ＬＡＮ端末９１  ＃１〜＃５への送信予想時間を決定する。ここで、ＯＬＴ９２の制御信号生成部２６では、例えば伝送遅延や各種通信端末における処理遅延等のオーバーベッドを考慮して送信許可時間帯を決定する。
【００５３】
次に、ＯＬＴ９２のＰＯＮ信号処理部２２は、決定した送信許可時間帯に関する情報に基づき、ｔ２〜ｔ３の間に、ＡＰ９５  ＃１及びＡＰ９５  ＃２に、無線ＬＡＮ端末９１  ＃１及び＃４への下りトラフィックを送信する。次に、ＡＰ９５  ＃１の無線フレーム生成／変換部５２は、ｔ３〜ｔ６の間で無線ＬＡＮ端末９１  ＃１へ下りトラフィックを送信する。また、ＡＰ９５  ＃２の無線フレーム生成／変換部５２は、ｔ３〜ｔ４の間で無線ＬＡＮ端末９１  ＃４へ下りトラフィックを送信する。
【００５４】
次に、ＯＬＴ９２の無線フレーム生成／変換部５２は、ＡＰ９５  ＃２及びＡＰ９５  ＃３の送信許可時間帯に下りトラフィックの送信を行うことができるように、ｔ５〜ｔ６の間にＡＰ９５  ＃２及びＡＰ９５  ＃３へ、無線ＬＡＮ端末９１  ＃２及び＃５へ向けた下りトラフィックを送信する。ＡＰ９５  ＃２の無線フレーム生成／変換部５２は、ＡＰ９５  ＃２及びＡＰ９５  ＃３の送信許可時間帯に下りトラフィックの送信を行うことができるように、ｔ６〜ｔ９の間で無線ＬＡＮ端末９１  ＃２へ下りトラフィックを送信する。また、ＡＰ９５  ＃３の無線フレーム生成／変換部５２は、ｔ６〜ｔ８の間で無線ＬＡＮ端末９１  ＃５へ下りトラフィックを送信する。そして、ＯＬＴ９２のＰＯＮ信号処理部２２は、ｔ７〜ｔ９の間にＡＰ９５  ＃３へ無線ＬＡＮ端末９１  ＃３への下りトラフィックを送信する。ＡＰ９５  ＃３の無線フレーム生成／変換部５２は、ｔ９〜ｔ１０の間で無線ＬＡＮ端末９１  ＃３へ下りトラフィックを送信する。
【００５５】
本実施形態では、ＡＰ９５よりも上位側に接続される通信装置としてＯＬＴ９２を例に説明したが、ＯＮＵ９３でも構わない。また、ＯＬＴ９２で各ＡＰ９５への送信許可時間帯を決定した後、ＯＬＴ９２でＡＰ９５への下りトラフィックの送信タイミングを制御するのではなく、ＯＬＴ９２からＡＰ９５へ送信許可時間帯に関する制御情報を制御信号として通知しても良い。また、ＯＬＴ９２内のキュー管理部２３内に一定時間Ｔに流入するトラフィック量をタイマ２９で観測したが、一定時間Ｔに流入するトラフィック量の平均値や平均レートを観測しても良い。また、ＯＬＴ９２からの送信順序をＡＰ９５  ＃１とＡＰ９５  ＃２、ＡＰ９５  ＃２とＡＰ９５  ＃３、ＡＰ９５  ＃３の順番にしたが、送信順序はこれに限らない。本実施形態では、各ＡＰ９５のカバーエリアに従属する無線ＬＡＮ端末９１の情報を基に、ＯＬＴ９２で各ＡＰ９５への送信許可時間帯に関して効率的に順序付けを行うため、実施形態１及び２と比較して、各カバーエリアＡ１〜Ａ３における帯域利用効率を向上させることができる。
【産業上の利用可能性】
【００５６】
本発明の光無線通信システムおよび光無線通信システムにおけるトラフィック制御方法は通信産業に適用することができる。
【符号の説明】
【００５７】
２１：ＰＯＮ−ＩＦ
２２：ＰＯＮ信号処理部
２３：キュー管理部
２４：ＳＮＩ
２５：管理テーブル追加部
２６：制御信号生成部
２７：計算部
２８：観測部
２９：タイマ
５１：アンテナ
５２：無線フレーム生成／変換部
５３：キュー管理部
５４：ＰＨＹポート
５５：テーブル作成部
９１：無線ＬＡＮ端末
９２：ＯＬＴ
９３：ＯＮＵ
９５：ＡＰ
９６：スプリッタ
Ａ１、Ａ２、Ａ３：ＡＰ９５のカバーエリア
【図１】
0006473324.tif 000002
【図２】
0006473324.tif 000003
【図３】
0006473324.tif 000004
【図４】
0006473324.tif 000005
【図５】
0006473324.tif 000006
【図６】
0006473324.tif 000007
【図７】
0006473324.tif 000008
【図８】
0006473324.tif 000009
【図９】
0006473324.tif 000010
【図１０】
0006473324.tif 000011
【図１１】
0006473324.tif 000012
【図１２】
0006473324.tif 000013
【図１３】
0006473324.tif 000014
【図１４】
0006473324.tif 000015
【図１５】
0006473324.tif 000016
【図１６】
0006473324.tif 000017
【図１７】
0006473324.tif 000018
【図１８】
0006473324.tif 000019
【図１９】
0006473324.tif 000020